(57)【要約】【課題】ユーザー宅にある各種機器に係るサービスを連携させて簡易に利用することができ、ユーザーの生活利便性を向上させることである。【解決手段】予め定義された事象が発生したこと（トリガー）を契機にして、予め設定された制御を特定の機器に対して実行すること（アクション）を規定した連携ルールを生成し、かつ、連携ルールに基づいて、特定の機器に制御信号を送信する制御連携機器（連携サーバー２）が用いられた宅内機器制御システム１であって、ユーザー宅内にある各種機器の動作検知及び制御を行う宅内制御機器（宅内制御システム３：宅内制御サーバー１０）を備え、特定の機器に各種機器が含まれ、宅内制御機器は、予め定められた事象が発生したことを制御連携機器に送信する送信手段と、制御連携機器からの制御信号を受信する受信手段と、制御信号に基づいて前記各種機器を制御する制御手段と、を有する。【選択図】図１
2020155855.tif 000002
【特許請求の範囲】
【請求項１】
予め定義された事象が発生したことを契機にして、予め設定された制御を特定の機器に対して実行することを規定した連携ルールを生成し、かつ、前記連携ルールに基づいて、前記特定の機器に制御信号を送信する制御連携機器が用いられた宅内機器制御システムであって、
ユーザー宅内にある各種機器の動作検知及び制御を行う宅内制御機器を備えており、
前記特定の機器には、前記各種機器が含まれており、
前記宅内制御機器は、
前記予め定められた事象が発生したことを前記制御連携機器に送信する送信手段と、
前記制御連携機器からの前記制御信号を受信する受信手段と、
前記制御信号に基づいて前記各種機器を制御する制御手段と、を有することを特徴とする宅内機器制御システム。
【請求項２】
請求項１に記載の宅内機器制御システムにおいて、
前記送信手段は、前記予め定められた事象が発生したことを前記制御連携機器に送信する契機用ＡＰＩを含み、
前記受信手段は、前記制御連携機器からの前記制御信号を受けて前記宅内制御機器による前記各種機器のうち何れかの制御を実行するための実行用ＡＰＩを含むことを特徴とする宅内機器制御システム。
【請求項３】
請求項１又は２に記載の宅内機器制御システムにおいて、
前記各種機器には、ユーザー宅に設けられた各種センサーが含まれ、
前記送信手段は、前記各種センサーによるセンシングに係る情報を前記制御連携機器に送信することを特徴とする宅内機器制御システム。
【請求項４】
請求項１〜３のいずれか一項に記載の宅内機器制御システムにおいて、
前記宅内制御機器は、ユーザー宅内又は宅外から取得した情報に基づいて前記各種機器の制御内容を決定する演算手段を更に有しており、
前記送信手段は、前記演算手段で決定された前記制御内容に係る情報を前記制御連携機器に送信することを特徴とする宅内機器制御システム。
【請求項５】
請求項１〜４のいずれか一項に記載の宅内機器制御システムにおいて、
前記特定の機器には、ユーザー宅内に設けられ、かつ前記宅内制御機器によって直接的に制御されない機器が含まれていることを特徴とする宅内機器制御システム。
【請求項６】
請求項１〜５のいずれか一項に記載の宅内機器制御システムにおいて、
前記特定の機器には、ユーザーに対して特定のサービスを提供するサービス機器が含まれていることを特徴とする宅内機器制御システム。
【請求項７】
請求項１〜６のいずれか一項に記載の宅内機器制御システムにおいて、
前記制御連携機器は、前記宅内制御機器用の一つのユーザーアカウントと、前記制御連携機器用の一つのユーザーアカウントとを連携させることを特徴とする宅内機器制御システム。
【発明の詳細な説明】
【技術分野】
【０００１】
本発明は、宅内機器制御システムに関する。
【背景技術】
【０００２】
従来、通信機能を有する、あるいは通信装置に接続可能とされたネットワーク対応機器の販売会社や製造会社等（以下、事業者）が、ユーザー向けに、ネットワーク対応機器をインターネットや移動体通信網等の通信ネットワークを介して、スマートフォンなどの携帯通信端末を用いて遠隔操作するサービスを提供している（例えば特許文献１参照）。
サービスを提供するサーバーは、ネットワーク対応機器の操作を指示する画面をホームページとして携帯通信端末に提供し、ユーザーは、事業者が提供するサービスメニューに従って、自身の所有するネットワーク対応機器を遠隔制御できるようになっている。
【先行技術文献】
【特許文献】
【０００３】
【特許文献１】特開２００２−２８１１６９号公報
【発明の概要】
【発明が解決しようとする課題】
【０００４】
ところが、ユーザーが所有するネットワーク対応機器が複数あり、これら複数のネットワーク対応機器が、例えば全て異なる製造会社によって製造され、ユーザーに提供されるサービスもネットワーク対応機器ごとに異なるものであると、異なる事業者のサービスを個別に利用しなければならないため煩雑で、利用しづらい場合があった。
特に近年、宅内における省エネルギー化を図るため、宅内の各家電における電力消費量の監視や節電のための制御、太陽光発電、蓄電器等の自家用電源の監視及び制御等を行うＨＥＭＳ（Home Energy Management System）の普及が図られているが、このようなＨＥＭＳでは、様々なネットワーク対応の家電や機器が用いられているため、異なる事業者のサービスを連携させて利用しやすくすれば、ユーザーにとって生活利便性に繋がる。
【０００５】
本発明は上記事情に鑑みてなされたものであり、その課題は、ユーザー宅にある各種機器に係るサービスを連携させて簡易に利用することができ、ユーザーの生活利便性を向上させることである。
【課題を解決するための手段】
【０００６】
請求項１に記載の発明は、例えば図１〜図５に示すように、予め定義された事象が発生したこと（トリガー）を契機にして、予め設定された制御を特定の機器に対して実行すること（アクション）を規定した連携ルールを生成し、かつ、前記連携ルールに基づいて、前記特定の機器に制御信号を送信する制御連携機器（連携サーバー２）が用いられた宅内機器制御システム１であって、
ユーザー宅内にある各種機器（分電盤１２、各種家庭内負荷１３、各種センサー１４、各種デバイス１５）の動作検知及び制御を行う宅内制御機器（宅内制御システム３：宅内制御サーバー１０）を備えており、
前記特定の機器には、前記各種機器が含まれており、
前記宅内制御機器は、
前記予め定められた事象が発生したことを前記制御連携機器に送信する送信手段（ＡＰＩサーバー部１０ａ）と、
前記制御連携機器からの前記制御信号を受信する受信手段（ＡＰＩサーバー部１０ａ）と、
前記制御信号に基づいて前記各種機器を制御する制御手段（宅内制御サーバー１０、ホームゲートウェイ１１）と、を有することを特徴とする。
【０００７】
請求項１に記載の発明によれば、ユーザー宅内にある各種機器の動作検知及び制御を行う宅内制御機器を備え、特定の機器に各種機器が含まれ、宅内制御機器は、予め定められた事象が発生したことを制御連携機器に送信する送信手段と、制御連携機器からの制御信号を受信する受信手段と、制御信号に基づいて各種機器を制御する制御手段と、を有するので、連携ルールに則って、特定の機器に含まれた各種機器の制御を確実かつ自動的に実行することができる。これにより、ユーザー宅にある各種機器に係るサービスを連携させて簡易に利用することができ、ユーザーの生活利便性を向上させることができる。
【０００８】
請求項２に記載の発明は、例えば図４，図５に示すように、請求項１に記載の宅内機器制御システム１において、
前記送信手段は、前記予め定められた事象が発生したことを前記制御連携機器に送信する契機用ＡＰＩを含み、
前記受信手段は、前記制御連携機器からの前記制御信号を受けて前記宅内制御機器による前記各種機器のうち何れかの制御を実行するための実行用ＡＰＩを含むことを特徴とする。
【０００９】
請求項２に記載の発明によれば、送信手段は、予め定められた事象が発生したことを制御連携機器に送信する契機用ＡＰＩを含み、受信手段は、制御連携機器からの制御信号を受けて宅内制御機器による各種機器のうち何れかの制御を実行するための実行用ＡＰＩを含むので、宅内制御機器によって制御される各種機器と制御連携機器とを中継でき、予め定められた事象が発生したことと、特定の機器に含まれた各種機器のうち何れかの制御を実行することを確実に連携させることができる。
【００１０】
請求項３に記載の発明は、例えば図１，図４，図５に示すように、請求項１又は２に記載の宅内機器制御システム１において、
前記各種機器には、ユーザー宅に設けられた各種センサー１４が含まれ、
前記送信手段は、前記各種センサー１４によるセンシングに係る情報を前記制御連携機器に送信することを特徴とする。
【００１１】
請求項３に記載の発明によれば、送信手段は、各種センサー１４によるセンシングに係る情報を制御連携機器に送信するので、各種センサー１４によるセンシングに係る情報を契機にして、予め設定された制御を特定の機器に対して実行することができる。
【００１２】
請求項４に記載の発明は、例えば図１，図４，図５に示すように、請求項１〜３のいずれか一項に記載の宅内機器制御システム１において、
前記宅内制御機器は、ユーザー宅内又は宅外から取得した情報に基づいて前記各種機器の制御内容を決定する演算手段（宅内制御サーバー１０）を更に有しており、
前記送信手段は、前記演算手段で決定された前記制御内容に係る情報を前記制御連携機器に送信することを特徴とする。
【００１３】
請求項４に記載の発明によれば、送信手段は、演算手段で決定された制御内容に係る情報を制御連携機器に送信するので、演算手段で決定された制御内容に基づいて各種機器が制御されたことを契機にして、予め設定された制御を特定の機器に対して実行することができる。
【００１４】
請求項５に記載の発明は、例えば図１，図４，図５に示すように、請求項１〜４のいずれか一項に記載の宅内機器制御システム１において、
前記特定の機器には、ユーザー宅内に設けられ、かつ前記宅内制御機器によって直接的に制御されない機器が含まれていることを特徴とする。
【００１５】
請求項５に記載の発明によれば、特定の機器には、ユーザー宅内に設けられ、かつ宅内制御機器によって直接的に制御されない機器が含まれているので、宅内制御機器によって直接的に制御されない機器が動作したことを契機にして、予め設定された制御を特定の機器に対して実行することができる。また、宅内制御機器の送信手段の情報に基づいて、予め設定された制御を宅内制御機器によって直接的に制御されない機器に対して実行することができる。
【００１６】
請求項６に記載の発明は、例えば図１，図２に示すように、請求項１〜５のいずれか一項に記載の宅内機器制御システム１において、
前記特定の機器には、ユーザーに対して特定のサービスを提供するサービス機器（サービス提供サーバー５）が含まれていることを特徴とする。
【００１７】
請求項６に記載の発明によれば、特定の機器に、ユーザーに対して特定のサービスを提供するサービス機器が含まれているので、サービス機器が組み込まれた連携ルールを生成でき、ユーザーに提供できるサービスの幅を広げることができる。
【００１８】
請求項７に記載の発明は、例えば図３に示すように、請求項１〜６のいずれか一項に記載の宅内機器制御システム１において、
前記制御連携機器は、前記宅内制御機器用の一つのユーザーアカウントと、前記制御連携機器用の一つのユーザーアカウントとを連携させることを特徴とする。
【００１９】
請求項７に記載の発明によれば、制御連携機器は、宅内制御機器用の一つのユーザーアカウントと、制御連携機器用の一つのユーザーアカウントとを連携させるので、宅内制御機器による制御と制御連携機器による制御が混線しにくく、連携ルールを実行しやすくなる。
【発明の効果】
【００２０】
本発明によれば、ユーザー宅にある各種機器に係るサービスを連携させて簡易に利用することができ、ユーザーの生活利便性を向上させることができる。
【図面の簡単な説明】
【００２１】
【図１】宅内機器制御システムの概要を示す図である。
【図２】連携サービスのイメージを示す図である。
【図３】連携サーバーの構成を示すブロック図である。
【図４】連携サービスの流れを説明する図である。
【図５】連携サービスの流れを説明する図である。
【発明を実施するための形態】
【００２２】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２３】
図１は、複数のサービスを連携させる連携サービスをユーザーに提供することを可能とした宅内機器制御システム１の概要を示す図である。
本実施形態における宅内機器制御システム１は、予め定義された事象が発生したことを契機にして、予め設定された制御を特定の機器に対して実行することを規定した連携ルールを生成し、かつ、当該連携ルールに基づいて、特定の機器に制御信号を送信する制御連携機器が用いられたものであり、ユーザー宅内にある各種機器の動作検知及び制御を行う宅内制御機器を備えており、特定の機器には各種機器が含まれており、宅内制御機器は、予め定められた事象が発生したことを制御連携機器に送信する送信手段と、制御連携機器からの制御信号を受信する受信手段と、制御信号に基づいて各種機器を制御する制御手段と、を有する。
【００２４】
宅内機器制御システム１において連携対象となるサービスは、トリガー（ｔｒｉｇｇｅｒ：契機）のサービスと、アクション（ａｃｔｉｏｎ：実行）のサービスとに分類できる。すなわち、宅内機器制御システム１では、トリガーのサービスに関する所定のイベントが発生したときに、アクションのサービスに所定のアクションを実行させる。これにより、異なるサービスを組み合わせた多様な連携サービスを提供することが可能となっている。
【００２５】
宅内機器制御システム１には、連携サービスを提供する連携サーバー２（すなわち、制御連携機器）と、ユーザー宅にある各種機器を制御するための宅内制御システム３（すなわち、宅内制御機器）と、連携ルールの設定などに用いられる通信端末４と、ユーザーに対して所定のウェブサービスを提供するサービス提供サーバー５（すなわち、サービス機器）と、が含まれる。
【００２６】
ここで、連携ルールとは、アプレット（Ａｐｐｌｅｔ）とも称し、宅内制御システム３又はサービス提供サーバー５から所定の情報（予め定義された事象が発生したことを示す情報）が提供されたことをトリガーとして、宅内制御システム３における各種機器又はサービス提供サーバー５におけるサービスに所定のアクションを実行させることを規定したルールであり、連携サーバー２によって生成される。
なお、事象は、宅内制御システム３によって制御される機器又は制御されない機器の動作やその動作の検知情報、サービス提供サーバー５によってユーザーに提供されるサービス、ユーザー宅の環境情報等を含み、イベントと称してもよい。
【００２７】
本実施形態の宅内機器制御システム１は、連携ルールのトリガーとアクションのうち少なくとも一方が、宅内制御システム３によって実行される各種機器の動作である。すなわち、トリガーとアクションの双方が、宅内制御システム３によって実行される各種機器の動作であってもよい。
【００２８】
なお、宅内機器制御システム１は、ユーザーに対し、宅内制御システム３を含めない形で連携ルールを提供してもよい。すなわち、複数のウェブサービスを連携サーバー２によって適宜連携させればよい。ユーザーは、宅内制御システム３が提供するサービスを含む連携サービスを受けることができるとともに、場合によっては、宅内制御システム３が提供するサービスを含まない、複数のウェブサービスにより構成される連携サービスを受けることができる。
【００２９】
連携サーバー２、宅内制御システム３、通信端末４、サービス提供サーバー５は、通信ネットワークＮを介して互いに通信可能な状態で接続されている。また、宅内制御システム３も、システムを構成する各要素が、通信ネットワークＮを介して互いに通信可能な状態で接続されていてもよい。
【００３０】
通信ネットワークＮは、電話回線網、ＩＳＤＮ回線網、光ファイバー、移動体通信網、通信衛星回線、ＣＡＴＶ回線網、その他の専用線等の各種通信回線網と、それらを接続するインターネットサービスプロバイダ（すなわち、インターネット）等を含んでいてもよい。また、ＬＡＮ（Local Area Network）やＷＡＮ（Wide Area Network）、ＷｉＦｉ（Wireless Fidelity）、Ｂｌｕｅｔｏｏｔｈ（登録商標）、ＮＦＣ（Near Field Communication）等の様々な通信網が互いに通信可能に接続された集合的な通信網であってもよい。また、接続の形態について、有線、無線及び有線と無線の混在を問わない。
【００３１】
本実施形態における連携サーバー２、宅内制御システム３における後述の宅内制御サーバー１０、サービス提供サーバー５は、クラウド上に構築されたサーバーであり、インターネット（通信ネットワークＮ）を通じてサーバー機能を利用できるサーバーシステムである。また、このようなサーバーシステムは、１台のサーバーであってもよいし、複数台のサーバーを、通信ネットワークＮを介して接続したものであってもよい。
【００３２】
ユーザーは、連携サーバー２、宅内制御システム３、サービス提供サーバー５に対して自身の情報を提供し、ユーザーアカウントやユーザーＩＤ等を適宜取得しているものとする。また、ユーザーは、宅内機器制御システム１における機能の一部を利用するための通信端末４を所持している。
【００３３】
〔宅内制御システムについて〕
宅内制御システム３は、ユーザーに対し、ユーザー宅にある各種機器を制御するサービスを提供している。なお、ユーザー宅は、ユーザーが居住する住宅などの建物を指しており、建物は、家屋そのものと、家屋が建築される敷地も含むものとする。
【００３４】
宅内制御システム３は、ユーザー宅において電力を使用するユーザー（使用者又は居住者）が通信端末４を使用し、使用電力の判定を行うための機能の一部を担う宅内制御サーバー１０との間で、通信ネットワークＮを介して各種情報のやり取りを行うことによりユーザー宅の使用電力の判定等を行うことができるようになっている。また、使用電力に限られず、水道やガスの流量計と通信可能に接続されることで、水道・ガスの使用量の確認や判定を行うことも可能となっている。
【００３５】
このような宅内制御システム３は、宅内制御サーバー１０（すなわち、演算手段）と、ホームゲートウェイ１１（すなわち、制御手段）と、分電盤１２と、各種家庭内負荷１３と、各種センサー１４と、各種デバイス１５と、を備えて構成されている。また、ユーザー宅には、ホームゲートウェイ１１と、分電盤１２、各種家庭内負荷１３、各種センサー１４、各種デバイス１５が設けられている。なお、宅内制御サーバー１０とホームゲートウェイ１１は連動して宅内制御システム３を機能させる場合がある。
【００３６】
宅内制御サーバー１０は、宅内制御システム３全体を機能させるためのものであり、本実施形態においては、ユーザー宅の建築に携わった建築業者を始め、電力会社、各種ウェブサービスの提供会社等のいずれの事業者が所有するものとするが、特に限定されるものではない。すなわち、特に何らかの事業者が所有するものでなくてもよく、個人が所有するものであってもよい。
【００３７】
宅内制御サーバー１０は、宅内制御システム３の動作を制御する制御部として機能するサーバー本体部と、連携サーバー２による宅内制御システム３を利用した連携サービスを確実に機能させるためにＡＰＩ（Application Programming Interface）についての必要な処理を行うＡＰＩサーバー部１０ａ（すなわち、送信手段及び受信手段）と、宅内機器制御システム１及び宅内制御システム３を機能させるために必要な各種データ・各種プログラムを記憶する記憶部と、を含んで構成されている。
ＡＰＩサーバー部１０ａは、連携サーバー２とホームゲートウェイ１１の双方と通信可能となっている。そして、図４，図５に参照されるように、トリガー用ＡＰＩ（すなわち、契機用ＡＰＩ）は、定義された事象が発生した場合にＡＰＩを該当する連携ルールに送信する。また、アクション用ＡＰＩ（すなわち、実行用ＡＰＩ）は、対応するトリガーの発生を受けてＡＰＩを宅内制御システム３における該当するアプリケーションやデバイスに送信する。
また、宅内制御サーバー１０は、無線又は有線によって管理用端末に接続されており、管理用ウェブアプリケーションによって各種の情報管理・メンテナス等を行うことができるようになっている。
【００３８】
宅内制御サーバー１０には、時計及びカレンダーの機能が備わっており、これにより、ユーザー宅の電力値を計測する際に、計測した時間も併せて判別できる。すなわち、電流値のデータと日時情報とを対応付けることによって、ユーザー宅の単位時間（例えば１時間）ごとの電流値を把握することができるとともに、月次データや年次データ等も容易に導き出すことができる。
【００３９】
ホームゲートウェイ１１は、インターネットサービスプロバイダへの接続設定等を作成したりするルーター機能と、Ｗｉ−Ｆｉ接続可能になる無線ＬＡＮ機能と、電話機やＦＡＸを繋いで音声通話やＦＡＸの送受信を行うＶｏＩＰゲートウェイ電話網とＩＰネットワークの間の中継を行う機能と、光回線の回線終端装置としての機能と、を併せ持つ。
また、本実施形態においては、上記機能を併せ持つ、いわゆるルーター機能付きモデムをホームゲートウェイ１１として使用するが、これに限られるものではなく、上記した機能を有するルーターやハブ等の各種機器をそれぞれ用いてホームゲートウェイ１１を構築するようにしてもよい。
さらに、ホームゲートウェイ１１は、宅内制御システム３を実現する上で必要な演算機能や通信手段、記憶手段等を適宜備える。このような構成とすることにより、ホームゲートウェイ１１によって、ユーザー宅内の分電盤１２、各種家庭内負荷１３、各種センサー１４、各種デバイス１５の使用状況に係るデータを収集したり、収集したデータを分析したり、その分析結果に基づいてユーザー宅内の分電盤１２、各種家庭内負荷１３、各種センサー１４、各種デバイス１５の制御を行ったりすることができる。
すなわち、ホームゲートウェイ１１は、単にルーターやハブ等の機能を有して宅内制御サーバー１０との連携により本実施形態における宅内制御システム３を構築してもよいし、ホームゲートウェイ１１に必要な機能を持たせて、宅内制御サーバー１０との連携を行わずに本実施形態における宅内制御システム３を構築してもよく、宅内制御サーバー１０との連携の度合いも適宜変更してもよい。
【００４０】
分電盤１２は、電力会社の商用配電線網（系統電力網）から供給される電力を、ホームゲートウェイ１１、各種家庭内負荷１３に配電しており、電流値（配電先への電力の供給量）を計測する電力センサーを有する。
また、分電盤１２には、図示はしないが、契約アンペアを超えて電流が流れた場合に電力の供給を止めるアンペアブレーカーと、漏電時に電力の供給を止める漏電遮断器と、各部屋に電力供給する分岐回路で規定以上の電流が流れた場合に電力の供給を止める配線用遮断器と、を有する。なお、分電盤１２は、各種センサー１４、各種デバイス１５に電力を配電してもよい。
【００４１】
各種家庭内負荷１３としては、図示はしないが、例えば、テレビ、冷蔵庫、洗濯機、照明器具、エアコンなどの家電製品や、電気、ガス、水道等のインフラ設備や情報通信設備に係る設備機器等のうち電力を使用する設備機器が挙げられる。ユーザー宅では複数の家電製品や設備機器が使用されている。この中には、宅内制御システム３によって直接的に制御されない家庭内負荷が含まれていてもよい。なお、図１においては、説明の便宜上、これら複数の家電製品や複数の設備機器を指す総称として各種家庭内負荷１３と表記している。
【００４２】
各種センサー１４としては、図示はしないが、温湿度センサー、水道の流量計、ガスの流量計が挙げられる。なお、図１においては、説明の便宜上、これら温湿度センサー、水道の流量計、ガスの流量計を指す総称として各種センサー１４と表記している。
温湿度センサーは、ユーザー宅の内外に複数設けられており、ユーザー宅の内外の温度及び湿度を計測する。この温湿度センサーは、内蔵電池で動作するようになっているが、分電盤１２やその他の電源（例えば太陽光発電装置）からの電力供給を受けることも可能であり、日常的にユーザー宅内外の温度及び湿度の計測することができる。
水道及びガスの流量計は、水道メーター及びガスメーターに内蔵されて設けられたものであり、ユーザー宅における水道及びガスの使用量を計測する。これらの流量計は、内蔵電池で動作するようになっているが、分電盤１２やその他の電源（例えば太陽光発電装置）からの電力供給を受けることも可能であり、日常的にユーザー宅の水道使用量及びガス使用量を計測することができる。
【００４３】
各種デバイス１５としては、図示はしないが、ユーザー宅のスマートハウス化（スマートホーム化）を実現する上で導入される各種のデバイスを指す。例えば、情報の検索や家庭内負荷１３の操作を行うスマートスピーカー（ＡＩスピーカーともいう。）や、玄関・窓・宅配ボックスの電子錠、コンセントに差し込まれるとともに簡易構造の家電が接続されて当該家電の電源ＯＮ／ＯＦＦ操作を可能とするスマートプラグ、カーテンの開閉を行う開閉装置、窓の開閉装置、シャッターの開閉装置等、種々のものが各種デバイス１５として挙げられる。この中には、宅内制御システム３によって直接的に制御されないデバイスが含まれていてもよい。なお、図１においては、説明の便宜上、これら複数のデバイスを指す総称として各種デバイス１５と表記している。
スマートスピーカーは、ＬＡＮやBluetooth（登録商標）を通じて各種家庭内負荷１３や各種センサー１４、スマートスピーカー以外の各種デバイス１５と通信可能に接続されており、ユーザーの声（音声）を認識して各種家庭内負荷１３等の遠隔操作を行うことができる。
【００４４】
〔通信端末について〕
ユーザーは、上記のように、宅内機器制御システム１における機能の一部を利用するための通信端末４を所持している。通信端末４は、通信ネットワークＮを介して連携サーバー２、宅内制御システム３、サービス提供サーバー５に通信可能に接続されている。
【００４５】
また、通信端末４は、表示装置、入力装置、記憶装置及びマイクロプロセッサー等を有するコンピューターである。より具体的には、通信端末４として、携帯電話機（例えば、スマートフォン、フィーチャーフォン）、ＰＤＡ（Personal Digital Assistant）、デスクトップ型パーソナルコンピューター、ラップトップ型パーソナルコンピューター（ノート型パーソナルコンピューター）、パームトップ型パーソナルコンピューター、タブレット型パーソナルコンピューター等を利用することができる。
【００４６】
この通信端末４における表示装置は、ＬＣＤ（Liquid Crystal Display）や有機エレクトロルミネッセンス（ＯＥＬ：Organic Electro-Luminescence）等によって構成されており、連携サーバー２、宅内制御システム３、サービス提供サーバー５の表示制御に応じて様々な情報を表示することができる。
【００４７】
本実施形態における通信端末４は、主として、宅内機器制御システム１のユーザーが所持するものであるが、これに限られるものではなく、ユーザー宅の建築に携わった建築業者を始め、電力会社、各種ネットワークサービスの提供会社等のいずれかが所有するものであってもよい。
なお、本実施形態においては、タッチパネル（表示装置、入力装置として機能する）を備え、かつ携帯性に優れたスマートフォンやタブレット型パーソナルコンピューターが通信端末４として用いられている。また、その他の種類の通信端末を併用してもよいものとする。
【００４８】
なお、通信端末４には、ユーザーが所持する通信端末以外にも、家族が所持する通信端末が含まれていてもよい。
【００４９】
〔宅内制御システムが提供するサービスについて〕
宅内制御システム３が提供するサービスは、専用のウェブサイトや専用のスマートフォンアプリを通信端末４で起動させ、通信端末４を通じてユーザーに提供される。このようなサービスは、在宅時と外出時のいずれであっても、通信端末４上で使用電力などのモニタリングや、各種家庭内負荷１３、各種デバイス１５の操作ができる。
宅内制御システム３が提供するサービスは、通信端末４の表示装置（タッチパネル）に表示されるアイコン３ａをタップすることで起動する。
【００５０】
宅内制御サーバー１０におけるサーバー本体部が制御部として機能し、この制御部が、記憶部に記憶された各種プログラムを実行することによって、ホームゲートウェイ１１、分電盤１２、各種家庭内負荷１３、各種センサー１４、各種デバイス１５の各構成に基づくサービスの提供が行われる。そして、宅内制御システム３が提供するサービスは、省エネサービス、安全サービス、安心サービス、快適サービスに分類される。
【００５１】
省エネサービスの分類には、例えば以下のようなサービスが含まれる。
（１）エネルギーモニターサービス……ユーザー宅における電力やガス、水道の使用量を見える化し、グラフや数値で表示する。
（２）温湿度モニターサービス……ユーザー宅における部屋別の温湿度を測定し、熱中症の危険度や健康リスク（室温１６℃未満）を色分けして表示し、注意を喚起する。
（３）電気契約プランアドバイスサービス……毎月のピーク電力の記録から最適な電力契約アンペア数をアドバイスする。
【００５２】
安全サービスの分類には、例えば以下のようなサービスが含まれる。
（１）防犯アラートサービス……外出中に玄関ドアや窓が開いたら通知を行う。
（２）戸締まりモニターサービス……玄関ドアや窓の戸締まりを確認でき、電気錠タイプの玄関ドアであれば、外出先から通信端末４による操作を行って施錠できる。
（３）異常使用アラートサービス……水栓の閉め忘れなどで水道が異常に使われたときに通知を行う。
【００５３】
安心サービスの分類には、以下のようなサービスが含まれる。
（１）熱中症アラートサービス……在宅の高齢者やペットが熱中症にならないように、部屋ごとの温湿度からその危険性を察知して警戒情報の通知を行う。
（２）おかえりアラームサービス……設定した時間帯に水の使用反応があったときに通知を行う。
（３）見守りアラームサービス……水道使用状況を監視し、一定時間以上、水の使用が無かったときに通知を行う。高齢者の生活を遠隔地から見守ることができる。
【００５４】
快適サービスの分類には、以下のようなサービスが含まれる。
（１）遠隔操作サービス……外出先から電気錠や電動シャッター、エアコン、給湯器、床暖房などの機器を通信端末４で操作できる。
（２）宅内制御サービス……宅内で各機器（各種家庭内負荷１３、各種デバイス１５）
を通信端末４で操作できる。
（３）タイマー操作サービス……タイマー設定で各機器（各種家庭内負荷１３、各種デバイス１５）を運転及び停止させる。
（４）シーン操作サービス……ユーザーの生活に合わせた複数のシーン（場面）別に各機器（各種家庭内負荷１３、各種デバイス１５）を操作する。例えば、「起床シーン」、「就寝シーン」、「外出（不在）シーン」、「在宅（帰宅）シーン」等があり、シーンごとに照明やエアコンなどの動作パターンを設定できる。一斉操作も可能で、一人ひとりに合わせたベストな環境を用意できる。
（５）涼風制御サービス……室内外の温度を比較し、電動トップライトやシーリングファン、エアコンなどを自動制御する。自然の風を活かした快適で省エネな毎日を実現できる。
【００５５】
宅内制御システム３が提供するサービスは、ユーザー宅に新規に導入されて制御の対象となる各機器や、宅内制御サーバー１０に登録される新規のプログラムによって、新たなサービスを随時追加することができる。
例えば、地震情報サービス（震度、建物被災度、地盤被災度等の情報を通知するサービス）や、健康管理サービス（ユーザーの体重や睡眠状態の検知で健康を促進するサービス）、防犯サービス（人感センサーや防犯カメラ、警報等を利用した防犯サービス）等、様々なサービスを宅内制御システム３に組み込んでユーザーに提供することができる。
【００５６】
そして、以上のような宅内制御システム３が提供するサービスの一つ一つは、宅内機器制御システム１において、連携サーバー２によって連携されてユーザーに提供されるサービスとなっている。
【００５７】
〔サービス提供サーバーについて〕
サービス提供サーバー５（すなわち、サービス機器）は、ユーザーに対して所定のウェブサービスを提供するためのサーバーであり、そのサービスの種類は特に限定されない。
なお、本実施形態におけるウェブサービスとしては、ソーシャルネットワーキングサービス（ＳＮＳ：Social Networking Service）や、時間管理ウェブアプリケーション、気象情報サービス、位置情報サービス、ショッピングサイトが挙げられる。
【００５８】
複数のウェブサービスは、各々の事業者（サービス提供者）によって運用されるサービス提供サーバーによってユーザーに提供されている。なお、図１においては、説明の便宜上、複数のウェブサービスを提供するためのサービス提供サーバーを指す総称として、サービス提供サーバー５と表記している。
【００５９】
サービス提供サーバー５によって提供されるサービスは、通信端末４の表示装置（タッチパネル）に表示されるアイコン５ａ〜５ｅをタップすることで起動する。アイコン５ａはソーシャルネットワークサービスに対応し、アイコン５ｂは時間管理ウェブアプリケーションに対応し、アイコン５ｃは気象情報サービスに対応し、アイコン５ｄは位置情報サービスに対応し、アイコン５ｅはショッピングサイトに対応している。
【００６０】
ソーシャルネットワークサービスは、インターネット上のコミュニケーションを通してソーシャルネットワークを構築できるウェブサービスであり、ユーザーの近況、関心事、ニュース等を友人、知人等と共有することができる。例えば、Ｆａｃｅｂｏｏｋ（登録商標）やＴｗｉｔｔｅｒ（登録商標）、ＬＩＮＥ（登録商標）等が広く知られており、本実施形態におけるソーシャルネットワークサービスは、特に限定されるものではない。
時間管理ウェブアプリケーションは、カレンダー機能、スケジュール管理機能を有するウェブサービスであり、様々なウェブサービスと連携させやすい。
気象情報サービスは、天気予報や気象データの配信を行うサービスであり、例えば位置情報サービスと連携してピンポイントの気象情報を取得できる。
位置情報サービスは、通信端末４のある位置を、例えばＧＰＳ（Global Positioning System, Global Positioning Satellite,全地球測位システム）などの衛生測位システムにより特定し、その位置情報に基づいてユーザーに様々なサービスを提供する。
ショッピングサイトは、インターネット上でショッピングを行うためのホームページであり、購入した商品を指定した配送先まで配送してもらうためのサービスである。
【００６１】
以上のようなサービスを提供する各々のサービス提供サーバー５（５ａ〜５ｅ）は、上記の宅内制御サーバー１０と同様に、ＡＰＩサーバー部を適宜備えており、一方のサービスと他方のサービスとを連携したり、外部のサービスから一部機能を呼び出したりできるようになっている。
【００６２】
そして、以上のようなサービス提供サーバー５が提供するサービスの一つ一つは、宅内機器制御システム１において、連携サーバー２によって連携されてユーザーに提供されるサービスとなっている。
【００６３】
〔連携サーバーについて〕
連携サーバー２は、図３に示すように、マイクロプロセッサーなどにより構成された制御部２０と、ハードディスクドライブやフラッシュメモリー等より構成された記憶部２１と、通信ネットワークＮを介して外部装置（宅内制御システム３、通信端末４、サービス提供サーバー５）との通信を行うための通信部２２等と、を有するコンピューターである。通信部２２は、制御部２０からの通信信号を受け入れ、通信ネットワークＮにこの通信信号を送出するとともに、通信ネットワークＮからの通信信号を受け入れ、制御部２０にこの通信信号を出力する。
【００６４】
制御部２０は、記憶部２１内に格納されている制御用プログラム（図示省略）に基づいて記憶部２１等を含む連携サーバー２全体の制御を行うとともに、設定受付部２０ａ、連携ルール有効化部２０ｂ、トリガー受付部２０ｃ、アクション送信部２０ｄ、連携ルール生成部２０ｅ、として機能する。
【００６５】
記憶部２１には、ユーザーの登録情報２１ａと、ユーザーが使用する連携ルールに係る情報（一のサービスをトリガーとし、他のサービスをアクションとするサービス連携の定義情報）２１ｂ等のように、サービス連携に必要な情報が記憶されている。
【００６６】
設定受付部２０ａは、連携ルールの生成に関する各種指定を受け付ける。
具体的には、設定受付部２０ａは、事前に、宅内制御システム３においてユーザーアカウントの登録を行ったユーザーのユーザーアカウントを連携サーバー２内に作成し、これらのユーザーアカウントを連携させる。さらに、連携ルールを登録するユーザーのユーザーアカウントの指定や、トリガー及びアクションの指定を受け付ける。
【００６７】
連携ルール有効化部２０ｂは、連携サーバー２に登録された連携ルールを有効化及び無効化するためのものであり、通信端末４を通じたユーザーによる操作に基づいて有効化と無効化の選択が行われるようになっている。通信端末４では、図４，図５に示すように、「Ｏｎ／Ｏｆｆ」と表示され、Ｏｎにすると該当の連携ルールが有効化し、Ｏｆｆにすると無効化する。
【００６８】
トリガー受付部２０ｃは、ユーザーが連携ルールによって連携サービスを受けるにあたって、宅内制御システム３又はサービス提供サーバー５から提供された所定の情報をトリガーとして受け付ける。
【００６９】
アクション送信部２０ｄは、ユーザーが連携ルールによって連携サービスを受けるにあたって、トリガー受付部２０ｃが所定の情報を受け付けたときに、宅内制御システム３における各種機器又はサービス提供サーバー５におけるサービスに所定のアクションを実行させるための情報を、宅内制御システム３又はサービス提供サーバー５に送信する。
【００７０】
連携ルール生成部２０ｅは、宅内制御システム３又はサービス提供サーバー５によるサービスをトリガーとし、宅内制御システム３又はサービス提供サーバー５によるサービスをアクションとした、ユーザー向けの連携ルールを記憶部２１に記憶させる。すなわち、連携ルール生成部２０ｅは、ユーザー自身が、トリガーとなるサービスの選択と、アクションとなるサービスの選択を行い、ユーザーが必要とする連携ルールをユーザー自身で作成することができる（図５参照。）。
【００７１】
また、制御部２０は、宅内制御システム３によるサービスを提供する事業者が、ユーザー向けに、宅内制御システム３によるサービスをトリガーとし、宅内制御システム３によるサービスをアクションとした既定の連携ルールを登録することが可能となっている。ユーザーは、事業者が用意した既定の連携ルールを利用してサービスを受けることができる（図４参照）。また、ユーザーが作成した連携ルールを、既定の連携ルールとして登録することで、他のユーザーが利用できるようにしてもよい。
【００７２】
なお、連携サーバー２が提供する連携サービスは、通信端末４の表示装置（タッチパネル）に表示されるアイコン２ａ（図２参照）をタップすることで起動する。
【００７３】
通信部２２は、宅内制御システム３におけるＡＰＩサーバー部１０ａのトリガー用ＡＰＩを通じてアプリケーションやデバイスと通信を行う。また、ＡＰＩサーバー部１０ａのアクション用ＡＰＩを通じてアプリケーションやデバイスと通信を行う。
【００７４】
〔宅内制御システムが提供するサービスを含む連携サービスについて〕
ユーザーが、宅内機器制御システム１における連携サービスを受ける場合、上記のように、連携サーバー２、宅内制御システム３、サービス提供サーバー５に対して自身の情報を提供し、ユーザーアカウントやユーザーＩＤ等を適宜取得する。特に、連携サーバー２においてユーザーアカウントの登録を行う場合は、事前に、宅内制御システム３においてユーザーアカウントの登録を行っておくようにする。そして、設定受付部２０ａによってユーザーアカウント同士を連携させる。この場合、一つの宅内制御システム３用ユーザーアカウントに、一つの連携サーバー２用アカウントのみが連携可能に設定されている。
【００７５】
連携サーバー２は、アカウント登録を行ったユーザーの通信端末４に対して、宅内制御システム３に係る複数の既定の連携ルールが登録された専用チャンネルの配信を行っている。専用チャンネルとは、宅内制御システム３のアカウントを持つユーザーが、連携サーバー２のアカウント登録を行い、これらのアカウントが連携した状態のユーザーが、通信端末４を通じて確認できるウェブサイトである。専用チャンネルに登録された既定の連携ルールとは、事業者又はユーザーが作成し、かつ、宅内制御システム３によるサービスをトリガーとし、宅内制御システム３によるサービスをアクションとした既定の連携ルールを指す。
【００７６】
専用チャンネルでは、ユーザーが、通信端末４を通じて複数の既定の連携ルールの中から使用したい既定の連携ルールを選択し、当該連携ルールを有効化する（連携ルール有効化部を動作させる）と、トリガー受付部２０ｃが、宅内制御システム３におけるトリガーの発生を待機する状態となる。
【００７７】
また、連携サーバー２では、連携ルール生成部２０ｅによって、アカウント登録を行ったユーザー自身が、トリガーとなるサービスの選択と、アクションとなるサービスの選択を行い、ユーザーが必要とする連携ルールをユーザー自身で作成することができる。
ユーザー自身が作成した連携ルールも、専用チャンネルに登録された既定の連携ルールと同様に、携ルールを有効化する（連携ルール有効化部を動作させる）と、トリガー受付部２０ｃが、宅内制御システム３又はサービス提供サーバー５におけるトリガーの発生を待機する状態となる。
【００７８】
連携ルールの例としては、以下のとおりである。
（Ａ）トリガー……「日没時間になったら」
アクション……「照明をつける」、「窓を閉める」
（Ｂ）トリガー……「雨が降ってきたら」
アクション……「窓を閉める」、「通信端末４に通知する」
（Ｃ）トリガー……「温度（湿度）が上がったら」、「温度（湿度）が下がったら」
アクション……「エアコンを稼働する」、「窓を開ける（閉める）」、「涼風制御サービスのＯＮ（ＯＦＦ）」
（Ｄ）トリガー……「電力（水道、ガス）使用量が指定量以上になったら」
アクション……「通信端末４に通知する」、「家庭内負荷への電力供給停止」
（Ｅ）トリガー……「シーン操作サービスの各シーンになったら」
アクション……「照明のＯＮ・ＯＦＦ制御」、「エアコンのＯＮ・ＯＦＦ制御」、「窓の開け閉め」
（Ｆ）トリガー……「熱中症アラートが作動したら」
アクション……「熱中症危険度のレベルを通知」、「家族の通信端末に通知する」
（Ｇ）トリガー……「ユーザーが登録された位置に移動したら」
アクション……「涼風制御サービスを作動する」、「家族の通信端末に通知する」
（Ｈ）トリガー……「指定日になったら」
アクション……「シーン操作サービスの外出シーンを解除する」
（Ｉ）トリガー……「ショッピングサイトから商品の配送が行われたら」
アクション……「タイマー操作サービスで宅配ボックスのロックを解除する」
なお、通信端末４に通知する方法は、例えばＥメールやＬＩＮＥ等を利用することができる。また、通信端末４の表示画面にポップアップを表示するなどしてもよく、通知の手法は特に限定されない。
【００７９】
連携ルールとして様々な例を挙げることができるが、以上は、ごく一部の例であり、宅内制御システム３によるサービスだけでも、より多くの連携ルールをユーザーに提供することができるし、サービス提供サーバー５から提供されるサービスを組み合わせたり、宅内制御システム３に対して新たなサービスを追加したりすることで、より数多くの連携ルールをユーザーに提供することができる。
【００８０】
〔連携サービスの流れについて〕
ユーザーが、専用チャンネルに登録された既定の連携ルールに基づくサービスを受ける場合の流れは、図４に示すように、まず、宅内制御システム３に登録しているユーザーが、連携サーバー２のアカウント登録を行う（ステップＳ１）。
【００８１】
続いて、専用チャンネルに登録された複数の既定の連携ルールのうち、ユーザーによって選択された既定の連携ルールを有効化する（ステップＳ２）。既定の連携ルールが有効化されると、宅内制御システム３におけるトリガーの発生を待機する状態となる。
【００８２】
トリガーとなるサービスが発生すると、宅内制御システム３におけるホームゲートウェイ１１が、トリガーの発生情報を、宅内制御システム３におけるＡＰＩサーバー部１０ａに送信する（ステップＳ３）。トリガーの発生情報を受けたＡＰＩサーバー部１０ａは、トリガー用ＡＰＩを、連携サーバー２へと送信する（ステップＳ４）。
そして、ユーザー宅側から、ホームゲートウェイ１１を通じて連携サーバー２に、トリガーの発生情報が送信される（ステップＳ５）。
【００８３】
トリガー用ＡＰＩとトリガーの発生情報を受けた連携サーバー２は、既定の連携ルールに設定されているアクションの実行情報を、宅内制御システム３におけるＡＰＩサーバー部１０ａに送信する（ステップＳ６）。
アクションの実行情報を受けたＡＰＩサーバー部１０ａは、アクション用ＡＰＩを、ホームゲートウェイ１１を通じてユーザー宅側に送信し、アクションが実行される（ステップＳ７）。このとき、連携ルールの実行状況などのログを、ＡＰＩサーバー部１０ａで管理する（ステップＳ８）。
また、連携サーバー２から、ホームゲートウェイ１１を通じてユーザー宅側に、アクションの実行情報が送信される（ステップＳ９）。
【００８４】
そして、アクションの実行状況（例えば各種センサー１４の検知情報など）が通信端末４に送信され、ユーザーは、連携サービスが行われたことを確認することができる（ステップＳ１０）。
以上のようにして、ユーザーは、専用チャンネルに登録された既定の連携ルールに基づくサービスを受けることができる。
【００８５】
次に、ユーザーが、自身で作成した連携ルールに基づくサービスを受ける場合の流れについて、図５を参照して説明する。この場合、まず、宅内制御システム３に登録しているユーザーが、連携サーバー２のアカウント登録を行う（ステップＳ１１）。
【００８６】
続いて、ユーザーが、宅内制御システム３によって提供されるサービスと、サービス提供サーバー５によって提供されるサービスの中から、トリガーとなるサービスを選択し、連携ルール生成部２０ｅがトリガーの登録を行う（ステップＳ１２）。
【００８７】
続いて、ユーザーが、宅内制御システム３によって提供されるサービスと、サービス提供サーバー５によって提供されるサービスの中から、アクションとなるサービスを選択し、連携ルール生成部２０ｅがアクションの登録を行う（ステップＳ１３）。
【００８８】
このようにして連携ルールが生成される。連携ルールが生成されたら、ユーザーによって当該連携ルールを有効化する（ステップＳ１４）。連携ルールが有効化されると、宅内制御システム３におけるトリガーの発生を待機する状態となる。
【００８９】
以降の手順（図５において示すステップＳ１５〜Ｓ２２）は、専用チャンネルに登録された既定の連携ルールに基づくサービスを受ける場合の流れにおける上記の手順（図４において示すステップＳ３〜Ｓ１０）と同様であるため、説明を省略する。
なお、ユーザーによって作成された連携ルールは、既定の連携ルールと共に、連携サーバー２における記憶部２１に、連携ルール情報２１ｂとして記憶される。
【００９０】
〔連携サービスの実施例１〕
連携サービスの実施例について、宅内制御システム３における上記の熱中症アラートサービスを例に挙げて説明する。
【００９１】
熱中症アラートサービスは、上記のとおり、在宅の高齢者やペットが熱中症にならないように、部屋ごとの温湿度からその危険性を察知して警戒情報の通知を行うものである。このようなサービスを提供するため、宅内制御システム３は、宅内制御サーバー１０（サーバー本体部）に、熱中症リスクに係る情報を導き出すための処理を行うリスク管理部を備える。さらに、宅内制御システム３は、各種機器として温湿度センサー（各種センサー１４）を備える。
【００９２】
リスク管理部は、温湿度センサーの計測結果に基づいて、記憶部に記憶されたリスク管理プログラムを実行することにより、熱中症リスクに係る情報を導き出すことができる。熱中症リスクに係る情報は、温湿度センサーの計測結果と、記憶部に記憶された暑さ指数とに基づいて導き出される。
【００９３】
なお、暑さ指数は、ＩＳＯ等で国際的に規格化されたものであり、ＷＢＧＴ（湿球黒球温度：Wet Bulb Globe Temperature）ともいう。また、暑さ指数の単位は、気温と同じ摂氏度（℃）で示されるが、その値は気温とは異なる。このような暑さ指数（ＷＢＧＴ）は人体とその周囲の空気との熱のやりとり（熱収支）に着目したものであり、人体の熱収支に与える影響の大きい湿度、日射・輻射など周辺の熱環境、気温の３つを取り入れた指標である。リスク管理部は、このような暑さ指数と、温湿度センサーによって計測された温度及び湿度の計測結果とを比較判定して、熱中症リスク情報を導き出している。
【００９４】
熱中症リスク情報は、ユーザーにとって分かりやすい指標を含む。当該指標としては、「ほぼ安全（適宜水分補給が必要。）」、「注意（積極的に水分補給が必要。）」、「警戒（積極的に休憩が必要）」、「厳重警戒（激しい運動は中止する。）」、「危険（運動は原則中止する。）」が挙げられ、これらの指標は、通信端末４の表示装置に、文字やオブジェクトとして表示できるようになっている。
宅内制御システム３は、通信端末４や、ユーザー宅に設けられた表示機（図示せず）に対して熱中症リスク情報の通知を行うことができる。
【００９５】
本実施形態における宅内機器制御システム１は、連携サーバー２によって生成された連携ルールに則って、以上のような熱中症アラートサービスがユーザーに提供されたこと（熱中症リスク情報が通信端末４や表示機に通知されたこと）をトリガーにして、予め設定された制御を特定の機器に対して実行（すなわち、アクション）させることができる。
【００９６】
ここで、アクションとしては、まず、各種家庭内負荷１３に含まれるエアコンの動作制御が挙げられる。エアコンの動作制御も冷房運転か除湿運転のどちらで動作するかを予め設定しておいたり、上記のように段階的に分けられた熱中症リスクの指標ごとに異なる動作をするように設定しておいたりしてもよい。
また、アクションも、エアコンの動作だけに限られるものではなく、その他のアクションが採用されてもよい。例えば、各種デバイス１５に含まれ、宅内制御機器によって直接制御されないスマートスピーカーを利用して音声による通知を行うようにしてもよいし、各種デバイス１５に含まれるシャッター用開閉装置によってシャッターを閉めて、ユーザー宅内への日差しを遮るようにしてもよい。
【００９７】
なお、例えば熱中症アラートの発動時にエアコンの動作を制御すること自体は、宅内制御システム３のみでも設定が可能であるが、本実施形態における宅内機器制御システム１による利点は、特に、アクションを事業者やユーザー自身が設定できることにあり、ユーザーに提供できるサービスの幅が格段に広くなる。
【００９８】
〔連携サービスの実施例２〕
連携サービスの実施例について、宅内制御システム３における上記のシーン操作サービスを例に挙げて説明する。
【００９９】
シーン操作サービスでは、ユーザーの生活に合わせた複数のシーン（場面）別に各機器（各種家庭内負荷１３、各種デバイス１５）を操作することができる。また、機器の設定も、シーンに応じてユーザーが詳細に設定できるようになっている。シーンには、上記のとおり、例えば「起床シーン」、「就寝シーン」、「外出（不在）シーン」、「在宅（帰宅）シーン」等がある。なお、シーンの設定を行う場合は、通信端末４やその他の情報端末を利用して行うことができる。
【０１００】
シーンの設定を行う場合は、当該シーンで動作を行う機器の選択を行う。また、どの場所に設けられた機器であるかを特定できるようになっている。さらに、当該シーンの制御が始まった時に、設定した機器が動作を開始するのか停止するのか、例えばエアコンであれば、運転モードや温度設定、風量設定等も行うことができる。
【０１０１】
例えば起床シーンでは、寝室とリビングルームにおいて、設定された時間に電動シャッターが開くように動作し、エアコンが自動運転モードで運転を開始する、といった制御を行うことが可能となっている。
【０１０２】
本実施形態における宅内機器制御システム１は、連携サーバー２によって生成された連携ルールに則って、以上のようなシーン操作サービスがユーザーに提供されたこと（宅内制御システム３に設定されたシーン操作が行われたこと）をトリガーにして、予め設定された制御を特定の機器に対して実行（すなわち、アクション）させることができる。
【０１０３】
例えば起床シーンの操作が行われたことに対するアクションとしては、例えば、その日の気象情報やスケジュールを通信端末４に通知したり、宅内制御機器によって直接制御されないテレビの電源をＯＮにしたり、宅内制御機器によって制御されない電動ブラインドを開けたりすることが挙げられる。就寝シーンや外出シーン、在宅シーンにも、各シーンに相応しいアクションがユーザーによって適宜設定される。
【０１０４】
宅内制御システム３におけるシーン操作サービスでは、複数の機器を複合的に動作させてユーザー宅内の環境をユーザーにとって最適なものにすることができるが、本実施形態における宅内機器制御システム１による利点は、特に、このように複数の機器を複合的に動作させて宅内環境の調整を行う制御自体を、連携ルールにおけるアクションのサービスとして設定できることにあり、ユーザーに提供できるサービスの幅が格段に広くなる。
【０１０５】
本実施の形態によれば、ユーザー宅内にある各種機器（分電盤１２、各種家庭内負荷１３、各種センサー１４、各種デバイス１５）の動作検知及び制御を行う宅内制御システム３を備え、特定の機器に各種機器が含まれ、宅内制御システム３は、予め定められた事象が発生したことを連携サーバー２に送信する送信手段（ＡＰＩサーバー部１０ａ）と、連携サーバー２からの制御信号を受信する受信手段（ＡＰＩサーバー部１０ａ）と、制御信号に基づいて各種機器を制御する制御手段（宅内制御サーバー１０、ホームゲートウェイ１１）と、を有するので、連携ルールに則って、特定の機器に含まれた各種機器の制御を確実かつ自動的に実行することができる。これにより、ユーザー宅にある各種機器に係るサービスを連携させて簡易に利用することができ、ユーザーの生活利便性を向上させることができる。
【０１０６】
また、送信手段（ＡＰＩサーバー部１０ａ）は、予め定められた事象が発生したことを連携サーバー２に送信する契機用ＡＰＩを含み、受信手段（ＡＰＩサーバー部１０ａ）は、連携サーバー２からの制御信号を受けて宅内制御システム３による各種機器のうち何れかの制御を実行するための実行用ＡＰＩを含むので、宅内制御システム３によって制御される各種機器と連携サーバー２とを中継でき、予め定められた事象が発生したことと、特定の機器に含まれた各種機器のうち何れかの制御を実行することを確実に連携させることができる。
【０１０７】
また、送信手段は、各種センサー１４によるセンシングに係る情報を連携サーバー２に送信するので、各種センサー１４によるセンシングに係る情報を契機にして、予め設定された制御を特定の機器に対して実行することができる。
【０１０８】
また、送信手段は、演算手段（宅内制御サーバー１０）で決定された制御内容に係る情報を連携サーバー２に送信するので、演算手段で決定された制御内容に基づいて各種機器が制御されたことを契機にして、予め設定された制御を特定の機器に対して実行することができる。
【０１０９】
また、特定の機器には、ユーザー宅内に設けられ、かつ宅内制御システム３によって直接的に制御されない機器が含まれているので、宅内制御システム３によって直接的に制御されない機器が動作したことを契機にして、予め設定された制御を特定の機器に対して実行することができる。
【０１１０】
また、特定の機器に、ユーザーに対して特定のサービスを提供するサービス提供サーバー５が含まれているので、サービス提供サーバー５が組み込まれた連携ルールを生成でき、ユーザーに提供できるサービスの幅を広げることができる。
【０１１１】
また、連携サーバー２は、宅内制御システム３用の一つのユーザーアカウントと、連携サーバー２用の一つのユーザーアカウントとを連携させるので、宅内制御システム３による制御と連携サーバー２による制御が混線しにくく、連携ルールを実行しやすくなる。
【符号の説明】
【０１１２】
１  宅内機器制御システム
２  連携サーバー
２ａ  アイコン
３  宅内制御システム
３ａ  アイコン
４  通信端末
５  サービス提供サーバー
５ａ  アイコン
５ｂ  アイコン
５ｃ  アイコン
５ｄ  アイコン
５ｅ  アイコン
１０  宅内制御サーバー
１０ａ  ＡＰＩサーバー部
１１  ホームゲートウェイ
１２  分電盤
１３  各種家庭内負荷
１４  各種センサー
１５  各種デバイス
２０  制御部
２０ａ  設定受付部
２０ｂ  連携ルール有効化部
２０ｃ  トリガー受付部
２０ｄ  アクション送信部
２０ｅ  連携ルール生成部
２１  記憶部
２１ａ  ユーザー登録情報
２１ｂ  連携ルール情報
２２  通信部
【図１】
2020155855.tif 000003
【図２】
2020155855.tif 000004
【図３】
2020155855.tif 000005
【図４】
2020155855.tif 000006
【図５】
2020155855.tif 000007